(57)【要約】【課題】大容量のデータを短時間に送信可能で、ユーザが任意にデータの伝送を制御することができる、セキュリティ性のより高い通信を実行することが可能な通信装置を提供する。【解決手段】接触又は近接された人体の一部を介して信号を送受信する第１通信部と、  前記人体を介さずに信号を送受信する第２通信部と、を備え、前記第２通信部は、暗号化された情報を送信し、前記第１通信部は、前記暗号化された情報を復号するための暗号鍵を送信する、通信装置が提供される。かかる通信装置は、大容量のデータを短時間に送信可能で、ユーザが任意にデータの伝送を制御することができる、セキュリティ性のより高い通信を実行することが可能となる。【選択図】図３
2013157788.tif 000002
【特許請求の範囲】
【請求項１】
接触又は近接された人体の一部を介して信号を送受信する第１通信部と、
前記人体を介さずに信号を送受信する第２通信部と、
を備え、
前記第２通信部は、暗号化された情報を送信し、前記第１通信部は、前記暗号化された情報を復号するための暗号鍵を送信する、通信装置。
【請求項２】
情報を暗号化して前記第２通信部から送信させるとともに該暗号化に用いる暗号鍵を前記第１通信部から送信させる暗号化部をさらに備える、請求項１に記載の通信装置。
【請求項３】
前記第２通信部による通信は、前記第１通信部による通信よりも高速である、請求項１に記載の通信装置。
【請求項４】
前記第１通信部から送信した前記暗号鍵が正常に送信されたどうかについての情報を取得する制御部をさらに備える、請求項１に記載の通信装置。
【請求項５】
前記制御部が取得する前記情報は、前記第１通信部が受信する、請求項４に記載の通信装置。
【請求項６】
前記制御部が取得する前記情報は、前記第２通信部が受信する、請求項４に記載の通信装置。
【請求項７】
前記第１通信部による前記暗号鍵の送信に先立って、前記第２通信部による前記暗号化された情報の送信を開始する、請求項１に記載の通信装置。
【請求項８】
前記第１通信部は、所定の条件を満たした場合に限って該条件を満たす前記暗号鍵の送信を開始する、請求項７に記載の通信装置。
【請求項９】
タッチパネルをさらに備え、
前記所定の条件は、前記人体が前記タッチパネルの所定の領域に接触または近接したことである、請求項８に記載の通信装置。
【請求項１０】
前記第２通信部は、前記第１通信部によって送信されなかった前記暗号鍵によって暗号化された情報を削除するための情報を送信する、請求項７に記載の通信装置。
【請求項１１】
接触又は近接された人体の一部を介して信号を送受信する第１通信ステップと、
前記人体を介さずに信号を送受信する第２通信ステップと、
を備え、
前記第２通信ステップは、暗号化された情報を送信し、前記第１通信ステップは、前記暗号化された情報を復号するための暗号鍵を送信する、通信方法。
【請求項１２】
コンピュータに、
接触又は近接された人体の一部を介して信号を送受信する第１通信ステップと、
前記人体を介さずに信号を送受信する第２通信ステップと、
を実行させ、
前記第２通信ステップは、暗号化された情報を送信し、前記第１通信ステップは、前記暗号化された情報を復号するための暗号鍵を送信する、コンピュータプログラム。
【発明の詳細な説明】
【技術分野】
【０００１】
本開示は、通信装置、通信方法及びコンピュータプログラムに関する。
【背景技術】
【０００２】
低周波信号を用いて、人体などに誘導される静電界、準静電界及び人体を流れる微弱な電流を介して通信する人体通信技術が開示されている（特許文献１，２参照）。特許文献１に記載の通信技術は、人体を導電体とみなして通信することを特徴としている。特許文献２に記載の通信技術は、人体の表面に発生する準静電界を利用して通信速度を向上させることを特徴としている。
【０００３】
また、特許文献２に記載の通信技術は、準静電界の周波数を用いることによって、遠方の不特定な方向に電波を飛ばす通常の無線通信と比較し、外部に電波を漏らすこと無く、人体と機器との接触によってのみ通信が可能になることを特徴としている。このように、人体通信では従来の無線通信等と比較して、セキュリティの高い通信が可能となっている。
【０００４】
また、人体通信自体の速度を向上させるこれらの方法とは別に、人体通信と、無線等の既存の高速通信技術とを組み合わせることで、高いセキュリティ性と通信速度とを両立させる技術も考案されている（特許文献３参照）。特許文献３に記載の技術は、人体通信によって通信が許可された場合によってのみ、無線などの、人体通信より高速な通信が開始されることによって、通信のセキュリティ性を上げている。
【先行技術文献】
【特許文献】
【０００５】
【特許文献１】特表１１−５０９３８０号公報
【特許文献２】特開２００６−３０３７３６号公報
【特許文献３】特開２０１０−７４７９７号公報
【発明の概要】
【発明が解決しようとする課題】
【０００６】
しかし、人体通信技術を用いた高速通信技術のうち、人体通信自体の通信速度を大きくする方法では、周波数を高くすると、人体外の遠方にも電波が放射され、人体の接触がなくても通信が成立してしまうという問題があった。このため、大容量のデータを短時間で送る目的で通信速度の大きい高周波帯域で人体通信を行うと、セキュリティ性が損なわれる問題があった。
【０００７】
また、人体通信技術と無線通信技術とを組み合わせる方法は、通常の無線通信技術と比べてセキュリティ性は高いと言えるが、一度無線通信が開始されると、その無線通信を傍受されることで情報が漏えいしてしまうという可能性は排除できないという問題があった。
【０００８】
そこで、本開示は、上記問題に鑑みてなされたものであり、本開示の目的とするところは、大容量のデータを短時間に送信可能で、ユーザが任意にデータの伝送を制御することができる、セキュリティ性のより高い通信を実行することが可能な、新規かつ改良された通信装置、通信方法及びコンピュータプログラムを提供することにある。
【課題を解決するための手段】
【０００９】
本開示によれば、接触又は近接された人体の一部を介して信号を送受信する第１通信部と、前記人体を介さずに信号を送受信する第２通信部と、を備え、前記第２通信部は、暗号化された情報を送信し、前記第１通信部は、前記暗号化された情報を復号するための暗号鍵を送信する、通信装置が提供される。
【００１０】
かかる構成によれば、第１通信部は接触又は近接された人体の一部を介して信号を送受信し、第２通信部は前記人体を介さずに信号を送受信する。そして第２通信部は、暗号化された情報を送信し、第１通信部は、前記暗号化された情報を復号するための暗号鍵を送信する。その結果、かかる通信装置は、大容量のデータを短時間に送信することができるとともに、人体を介した信号の送受信によって暗号化された情報を復号するための暗号鍵を伝送することで、ユーザが任意にデータの伝送を制御することができる、セキュリティ性のより高い通信を実行することが可能となる。
【００１１】
また本開示によれば、接触又は近接された人体の一部を介して信号を送受信する第１通信ステップと、前記人体を介さずに信号を送受信する第２通信ステップと、を備え、前記第２通信ステップは、暗号化された情報を送信し、前記第１通信ステップは、前記暗号化された情報を復号するための暗号鍵を送信する、通信方法が提供される。
【００１２】
また本開示によれば、コンピュータに、接触又は近接された人体の一部を介して信号を送受信する第１通信ステップと、前記人体を介さずに信号を送受信する第２通信ステップと、を実行させ、前記第２通信ステップは、暗号化された情報を送信し、前記第１通信ステップは、前記暗号化された情報を復号するための暗号鍵を送信する、コンピュータプログラムが実行される。
【発明の効果】
【００１３】
以上説明したように本開示によれば、大容量のデータを短時間に送信可能で、ユーザが任意にデータの伝送を制御することができる、セキュリティ性のより高い通信を実行することが可能な、新規かつ改良された通信装置、通信方法及びコンピュータプログラムを提供することができる。
【図面の簡単な説明】
【００１４】
【図１】人体通信の原理について簡単に説明するための説明図である。
【図２】人体通信の一利用形態について説明するための説明図である。
【図３】本開示の一実施形態にかかる通信装置を用いた通信システムの構成を示す説明図である。
【図４】本開示の一実施形態にかかる情報処理装置を用いた通信システムの動作を示す流れ図である。
【図５】情報処理装置１００、２００のハードウエア構成例を示す説明図である。
【図６】タッチパネルを用いたコンテンツ配信システムについて示す説明図である。
【図７】タッチパネルを用いたコンテンツ配信システムについて示す説明図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
＜１．本開示の一実施形態＞
［人体通信の概要］
［人体通信の利用形態］
［通信システムの構成］
［通信システムの動作］
［情報処理装置のハードウエア構成例］
［通信システムの適用例］
＜２．まとめ＞
【００１７】
＜１．本開示の一実施形態＞
［人体通信の概要］
まず、人体通信の概要について説明する。人体通信技術は、例えば、人体表皮に当接された状態で装着される人体側通信機と、人体の近傍に機器側通信機との間によって通信する技術である。人体通信機側の電極を介して人体に交流電圧を印加することで、人体通信機及び機器側通信機における各電極間に介在する人体を媒体としたコンデンサの作用により、機器側通信機の電極で生ずる静電誘導現象を用いて、簡単な情報データを送受信することができる。
【００１８】
人体通信の原理について簡単に説明する。図１は、人体通信の原理について簡単に説明するための説明図である。図１の例において、人体１０は、送信機（情報処理装置１００）を身に付けている。また、図１の例では、人体１０が受信機（情報処理装置２００）に触れている。また、送信機及び受信機は、それぞれ信号電極とグランド電極とを有する。そして、送信機及び受信機の信号電極は人体１０に接触している。なお、信号電極は、人体１０に直接接触している必要はない。例えば、信号電極と人体１０との間に服などが介在していてもよい。
【００１９】
送信機の信号電極に交流電圧を印加すると、人体１０は誘電体であるため、人体１０の周辺に電界（近傍界１５）が発生する。例えば、３０ＭＨｚの周波数帯を利用する場合、人体１０の比誘電率は約９０程度であるため、人体１０の表面には強い近傍界１５が生じる。この近傍界１５を介して、送信機の信号電極から発せられた信号が、受信機の信号電極に到達する。なお、人体通信には、空間伝搬とならず、かつ、人体防護指針の厳しくない周波数帯（例えば、３０ＭＨｚ以下）が好適に利用される。
【００２０】
さて、ここで重要なのは信号の帰線となるグランド側の振る舞いである。送信機のグランド電極は、大地１４に対して容量１１を有する。但し、図１の例では、容量１１を模式的に１つのコンデンサにより表現しているが、実際にはグランド電極と大地１４との間で多数の容量結合が生じている。同様に、受信機のグランド電極は、大地１４に対して容量１２を有する。また、送信機のグランド電極と受信機のグランド電極との間にも容量１３が存在する。そして、容量１１、１２、１３の総和が、送信機から受信機へと伝達される信号の帰線となる。なお、３０ＭＨｚの周波数帯を利用する場合、容量１１、１２、１３は十分に小さな値であるため、外部環境による伝搬特性への影響はほとんどない。
【００２１】
以上、人体通信の原理について簡単に説明した。次に、人体通信の一利用形態について説明する。
【００２２】
［人体通信の利用形態］
次に、図２は、人体通信の一利用形態について説明するための説明図である。図２には、ユーザが身に付けている情報処理装置１００と情報処理装置２００との間で人体通信を行う様子が示されている。
【００２３】
人体１０の一部が情報処理装置２００に触れ、情報処理装置１００と情報処理装置２００との間で人体通信が開始されると、近傍界１５が発生し、人体１０を経由して情報処理装置１００と情報処理装置２００との間で情報の送受信が可能になる。例えば、人体通信が開始されると、情報処理装置１００に格納された画像Ｐのデータが情報処理装置２００に送られ、情報処理装置２００の表示画面に表示される。
【００２４】
また、人体通信を介して、情報処理装置２００を用いて入力された個人情報のデータ（例えば、アドレス帳のデータなど）を情報処理装置１００に送ることができる。人体通信は、人体１０を介して情報の送受信が行われるため、無線ＬＡＮなどに比べて秘匿性が高い。そのため、人体通信は、個人情報のように漏洩が懸念されるデータの送受信に向いている。なお、図２に例示した利用形態においては、床が大地１４として作用する。
【００２５】
近傍界１５によって情報処理装置１００と情報処理装置２００との間で人体通信が可能になると、ユーザは、例えば、人体通信によって情報処理装置１００に格納されている画像Ｐのデータを情報処理装置２００に送信し、画像Ｐを情報処理装置２００に表示させることが可能になる。なお、ここでは情報処理装置２００に画像Ｐを表示させる利用例を示したが、情報処理装置１００に搭載されたアプリケーションの操作画面を情報処理装置２００に表示させたり、情報処理装置１００に格納された他のコンテンツを情報処理装置２００に表示させたりするような利用形態も考えられる。
【００２６】
また、人体通信が開始された際に、情報処理装置１００に格納されたコンテンツ（例えば、画像Ｐなど）に対する操作（例えば、表示、再生、送信など）を行うための画面が自動的に情報処理装置２００に表示されるようにしてもよい。このような構成にすれば、ユーザは、身に付けた情報処理装置１００に一切触れず、情報処理装置２００に表示された操作画面を操作するだけで情報処理装置１００に格納されたコンテンツに対する操作を行うことが可能になる。例えば、情報処理装置１００を服のポケットに入れたまま、情報処理装置１００に格納された画像Ｐを情報処理装置２００に表示させることが可能になる。
【００２７】
以上、人体通信の一利用形態について説明した。続いて、本開示の好適な実施の形態について説明する。
【００２８】
［通信システムの構成］
図３は、本開示の一実施形態にかかる情報処理装置を用いた通信システムの構成を示す説明図である。以下、図３を用いて本開示の一実施形態にかかる情報処理装置を用いた通信システムの構成について説明する。
【００２９】
図３に示したように、本開示の一実施形態にかかる通信システム１は、情報処理装置１００，２００を含んで構成される。上述したように、情報処理装置１００と情報処理装置２００とは、人体１０を通じて人体通信が可能であるように構成されている。
【００３０】
図３に示したように、情報処理装置１００は、コンテンツ信号入力部１０１と、暗号化モジュール１０２と、無線モジュール（送信器）１０３と、人体通信モジュール（送信器）１０４と、を含んで構成される。
【００３１】
また、図３に示したように、情報処理装置２００は、コンテンツ信号出力部２０１と、暗号復元モジュール２０２と、無線モジュール（受信器）２０３と、人体通信モジュール（受信器）２０４と、を含んで構成される。
【００３２】
本実施形態では、情報処理装置１００から人体通信を用いて情報処理装置２００へ情報を送信する形態について説明する。情報処理装置１００から人体通信を用いて情報処理装置２００へ情報を送信するには、人体１０を伝送媒体として利用する。
【００３３】
まず、情報処理装置１００の構成について説明する。コンテンツ信号入力部１０１は、情報処理装置１００の外部からコンテンツ信号を受け取る。このコンテンツ信号には、例えば、文字、画像、映像等の情報が含まれていても良い。コンテンツ信号入力部１０１は、情報処理装置１００の外部からコンテンツ信号を受け取ると、受け取ったコンテンツ信号を暗号化モジュール１０２に出力する。
【００３４】
暗号化モジュール１０２は、コンテンツ信号入力部１０１から送られてくるコンテンツ信号を暗号化する。暗号化モジュール１０２による暗号化の方法は特定の方法に限定されるものではなく、暗号化モジュール１０２は、任意の暗号化手法を用いてコンテンツ信号を暗号化することができる。暗号化モジュール１０２は、コンテンツ信号を暗号化して得られる暗号化コンテンツ１１１を無線モジュール１０３に送ると共に、暗号化コンテンツ１１１を復号するための暗号キー１１２を人体通信モジュール１０４に送る。
【００３５】
無線モジュール１０３は、暗号化モジュール１０２から送られてくる暗号化コンテンツ１１１を、無線信号２１として送信する。暗号化コンテンツ１１１を無線モジュール１０３が無線信号２１として送信することで、仮に無線信号２１を無関係の第三者に傍受されたとしてもコンテンツの内容が読み取られることはない。なお、無線モジュール１０３による無線通信の速度は、人体通信モジュール１０４による人体通信の速度より高速であることがより望ましい。
【００３６】
人体通信モジュール１０４は、情報処理装置１００に接触または近接している人体１０を通じて、情報処理装置２００へ情報を送信する通信モジュールである。人体通信モジュール１０４は、暗号化モジュール１０２から送られてくる暗号キー１１２を、人体１０を通じて情報処理装置２００へ送信する。暗号キー１１２を、人体通信モジュール１０４から人体１０を通じて情報処理装置２００へ送信することで、暗号化コンテンツ１１１を復号するための暗号キー１１２の漏洩を防ぎ、暗号化コンテンツ１１１を安全に情報処理装置１００から情報処理装置２００へ提供することができる。
【００３７】
続いて、情報処理装置２００の構成について説明する。無線モジュール２０３は、無線モジュール１０３から送られてくる暗号化コンテンツ１１１を、無線信号２１として受信する。無線モジュール２０３は、無線モジュール１０３から受信した無線信号２１から暗号化コンテンツ２１１を取り出して暗号復元モジュール２０２へ送る。
【００３８】
人体通信モジュール２０４は、情報処理装置２００に接触または近接している人体１０を通じて、情報処理装置１００から情報を受信する通信モジュールである。人体通信モジュール２０４は、情報処理装置１００の人体通信モジュール１０４から、人体１０を通じて送られてくる暗号キー１１２を受信する。人体通信モジュール２０４は、受信した暗号キーを暗号キー２１２として暗号復元モジュール２０２に送る。なお、暗号キー１１２と暗号キー２１２は同一の暗号キーである。
【００３９】
暗号復元モジュール２０２は、無線モジュール２０３から送られてくる暗号化コンテンツ２１１と、人体通信モジュール２０４から送られてくる暗号キー２１２を用いて復号するものである。暗号復元モジュール２０２は、復号して得られるコンテンツをコンテンツ信号出力部２０１へ送る。
【００４０】
コンテンツ信号出力部２０１は、暗号復元モジュール２０２から送られてくるコンテンツを外部の装置に出力する。コンテンツ信号出力部２０１が、暗号復元モジュール２０２から送られてくるコンテンツを外部の装置に出力することで、情報処理装置１００から送られてくるコンテンツデータを情報処理装置２００の外部に出力することができる。
【００４１】
以上、本開示の一実施形態にかかる情報処理装置を用いた通信システムの構成について説明した。次に、本開示の一実施形態にかかる情報処理装置を用いた通信システムの動作について説明する。
【００４２】
［通信システムの動作］
図４は、本開示の一実施形態にかかる情報処理装置を用いた通信システムの動作を示す流れ図である。図４に示した流れ図は、情報処理装置１００から情報処理装置２００へ、セキュアにコンテンツを送信する際の動作を示したものである。なお、情報処理装置１００から情報処理装置２００へ、セキュアにコンテンツを送信する際の前提として、情報処理装置１００と情報処理装置２００とは、いずれも人体１０に接触している状態にあるものとする。以下、図４を用いて本開示の一実施形態にかかる情報処理装置を用いた通信システムの動作について説明する。
【００４３】
情報処理装置１００から情報処理装置２００へ、セキュアにコンテンツを送信する際には、まず情報処理装置１００に、送信対象のコンテンツ信号が送られ、情報処理装置１００はそのコンテンツ信号を受け取る（ステップＳ１０１）。コンテンツ信号はコンテンツ信号入力部１０１が受け取る。
【００４４】
上記ステップＳ１０１で、情報処理装置１００が、送信対象のコンテンツ信号を受け取ると、続いて情報処理装置１００は、そのコンテンツ信号を暗号化する（ステップＳ１０２）。コンテンツ信号の暗号化は暗号化モジュール１０２が実行する。
【００４５】
上記ステップＳ１０２で、情報処理装置１００は、送信対象のコンテンツ信号を暗号化すると、続いて情報処理装置１００は、情報処理装置２００への暗号化コンテンツの無線送信、及びコンテンツの暗号および復号に用いる暗号キーの、情報処理装置２００への人体通信を実行する（ステップＳ１０３）。暗号化コンテンツの無線送信は無線モジュール１０３が、暗号キーの人体通信は人体通信モジュール１０４が、それぞれ実行する。
【００４６】
上記ステップＳ１０３で、情報処理装置１００が、情報処理装置２００への暗号化コンテンツの無線送信、及びコンテンツの暗号および復号に用いる暗号キーの、情報処理装置２００への人体通信を実行すると、情報処理装置２００は、情報処理装置１００から送信されてくる暗号化コンテンツ及び暗号キーを受信する（ステップＳ１０４）。情報処理装置１００から送信されてくる暗号化コンテンツの受信は無線モジュール２０３が、情報処理装置１００から送信されてくる暗号キーの受信は人体通信モジュール２０４が、それぞれ実行する。
【００４７】
上記ステップ１０４で、情報処理装置２００が、情報処理装置１００から送信されてくる暗号化コンテンツ及び暗号キーを受信すると、続いて情報処理装置２００は、情報処理装置１００から送信されてきた暗号化コンテンツを、同じく情報処理装置１００から人体通信によって送信されてきた暗号キーで復号する（ステップＳ１０５）。暗号化コンテンツの暗号キーによる復号は、暗号復元モジュール２０２が実行する。
【００４８】
上記ステップＳ１０５で、情報処理装置２００が、情報処理装置１００から送信されてきた暗号化コンテンツを、同じく情報処理装置１００から人体通信によって送信されてきた暗号キーで復号すると、情報処理装置２００は、復号して得られるコンテンツ信号を出力する（ステップＳ１０６）。
【００４９】
このように情報処理装置１００及び情報処理装置２００が動作することで、情報処理装置１００から情報処理装置２００へ、セキュアにコンテンツを送信することができる。すなわち、情報処理装置１００は、コンテンツ信号を暗号化して情報処理装置２００へ無線送信すると共に、その暗号化に用いた暗号キーは人体通信によって情報処理装置１００から情報処理装置２００へ送信する。
【００５０】
暗号キーは、コンテンツ信号に比べて格段に情報量が少ないので、人体通信によって暗号キーを情報処理装置１００から情報処理装置２００へ送信しても、暗号化コンテンツの送信速度に与える影響は非常に少ない。従って、情報処理装置１００から情報処理装置２００への無線通信の速度を上げることで、情報処理装置１００から情報処理装置２００へのコンテンツの伝送時間を短縮させることができ、かつ、情報処理装置１００から情報処理装置２００へ、セキュアにコンテンツを送信することができる。
【００５１】
なお、情報処理装置１００から情報処理装置２００へ正常に暗号キーが送信されたかどうかを情報処理装置１００で判定するために、情報処理装置２００へ暗号キーが正常に到達したら、正常に到達したことを示す情報を情報処理装置２００から情報処理装置１００へ送信させるようにしても良い。情報処理装置１００は、情報処理装置１００から情報処理装置２００へ正常に暗号キーが送信されたかどうかについての判断を後述のＣＰＵ９０２で実行しても良い。
【００５２】
情報処理装置２００へ暗号キーが正常に到達したら、正常に到達したことを示す情報を情報処理装置２００から情報処理装置１００へ送信させるためには、情報処理装置１００から人体通信によって送信した暗号キーのデータに欠落等が無いことを、情報処理装置２００で知る必要がある。従って、情報処理装置１００から情報処理装置２００へ暗号キーを送信する際には、暗号キーのデータに欠落等が無いことを、情報処理装置２００で知ることができるための情報、例えばデータ長情報等を、情報処理装置１００から情報処理装置２００へ合わせて送信するようにしても良い。
【００５３】
暗号キーが正常に到達したことを示す情報の、情報処理装置２００から情報処理装置１００への送信は、傍受されてもコンテンツ配信に影響が出ないので、無線モジュール２０３が実行する無線通信によって行われてもよく、もちろん人体通信モジュール２０４が実行する人体通信によって行われても良い。
【００５４】
以上、本開示の一実施形態にかかる情報処理装置を用いた通信システムの動作について説明した。次に、本開示の一実施形態にかかる情報処理装置のハードウエア構成例について説明する。
【００５５】
［情報処理装置のハードウエア構成例］
図５は、本開示の一実施形態にかかる情報処理装置１００，２００のハードウエア構成例を示す説明図である。以下、図５を用いて本開示の一実施形態にかかる情報処理装置１００，２００のハードウエア構成例について説明する。
【００５６】
図５に示すように、情報処理装置１００，２００は、主に、ＣＰＵ９０２と、ＲＯＭ９０４と、ＲＡＭ９０６と、ホストバス９０８と、ブリッジ９１０と、を有する。さらに、情報処理装置１００，２００は、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【００５７】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【００５８】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【００５９】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【００６０】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【００６１】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【００６２】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【００６３】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【００６４】
以上、本開示の一実施形態にかかる情報処理装置を用いた情報処理装置のハードウエア構成例について説明した。次に、本開示の一実施形態にかかる通信システムの適用例について説明する。
【００６５】
［通信システムの適用例］
本開示の一実施形態にかかる情報処理装置を用いた通信システムの適用例として、タッチパネルを用いたコンテンツ配信システムを説明する。
【００６６】
図６および図７は、本開示の一実施形態にかかる情報処理装置を用いた通信システムの適用例として、タッチパネルを用いたコンテンツ配信システムについて示す説明図である。例えば、図６に示したように、情報処理装置１００が映像コンテンツを配信するコンテンツ配信装置であり、情報処理装置２００が、人体１０となるユーザが保有している携帯型情報端末であるとして、このコンテンツ配信装置から携帯型情報端末へコンテンツを配信する場合について考える。情報処理装置１００には、例えばタッチパネル式の情報表示装置１５０が備わっており、情報処理装置２００を保持したユーザが、その情報表示装置１５０の任意の場所に接触することで、情報処理装置１００から情報処理装置２００へコンテンツの配信が行われる。
【００６７】
情報処理装置１００から情報処理装置２００へコンテンツの配信が行われる際には、上述したように、情報処理装置１００においてコンテンツの暗号化及び暗号キーの生成が行われ、暗号化コンテンツは無線通信によって、暗号キーは人体通信によって、それぞれ情報処理装置１００から情報処理装置２００へ送信される。暗号化コンテンツ及び暗号キーが情報処理装置２００に送信されると、情報処理装置２００は、暗号化コンテンツを暗号キーで復号し、コンテンツを出力することができるようになる。
【００６８】
また、図６に示したように、情報処理装置２００を保持したユーザが情報処理装置１００に所定の距離より接近し、情報処理装置１００と情報処理装置２００とが無線通信可能になった時点で、情報処理装置１００から情報処理装置２００へ、暗号化されたコンテンツが１つまたは複数配信されるようにしても良い。このとき配信されるコンテンツは暗号化されているので、そのままでは情報処理装置２００で出力することは出来ない。また、このとき配信されるコンテンツを不可視化することで、情報処理装置２００ではコンテンツの配信があったことを認識させないようにしても良い。
【００６９】
その後、図７に示したように、情報処理装置２００を保持したユーザが、その情報表示装置に表示されているコンテンツの一覧から、所望のコンテンツについての情報に接触することで、情報処理装置１００から情報処理装置２００へ、当該コンテンツの識別情報や、当該コンテンツを復号するための復号キーを人体通信によって送信する。予め暗号化コンテンツが無線通信によって情報処理装置１００から情報処理装置２００へ配信されているので、コンテンツの配信に要する時間を体感的に短縮させること効果がある。
【００７０】
そして、ユーザが所望せず、暗号キーが送信されなかった暗号化コンテンツについては、情報処理装置１００と情報処理装置２００との間の距離が所定の距離以上離れて通信が不能になった時点で、情報処理装置２００は、情報処理装置１００から配信されていた暗号化コンテンツを消去してもよい。暗号キーが送信されなかった暗号化コンテンツを消去することで、不要なデータで内部の記録媒体の容量が消費されてしまうことを防ぐことができる。
【００７１】
情報処理装置１００にタッチパネル式の情報表示装置１５０が備わっている場合に、ユーザがそのタッチパネルに触れた位置に応じて、情報処理装置１００から情報処理装置２００への人体通信の信号パターンを変化させることで、情報処理装置１００から情報処理装置２００へ、タッチパネルの接触位置情報を知らせるようにしても良い。逆についても同様に、情報処理装置２００から情報処理装置１００への人体通信の信号パターンを変化させることで、情報処理装置２００から情報処理装置１００へ、タッチパネルの接触位置情報を知らせるようにしても良い。このようにタッチパネルの接触位置情報を送信し合うことで、タッチパネル上の所定の位置をユーザがタッチした場合に限って、情報処理装置１００と情報処理装置２００との間の通信（無線通信と人体通信のいずれか、または両方）が開始されるようにしてもよい。
【００７２】
＜２．まとめ＞
以上説明したように本開示の一実施形態によれば、情報処理装置１００から情報処理装置２００へ人体通信を利用してコンテンツを送信する際に、コンテンツのデータは暗号化することで無線通信によって情報処理装置１００から情報処理装置２００へ高速に送信し、暗号化されたコンテンツを復号するための暗号キーは、人体通信によって情報処理装置１００から情報処理装置２００へ送信する。
【００７３】
情報処理装置１００から情報処理装置２００へ送信するコンテンツを暗号化することで、万が一意図しないデータが送信されてしまった場合であっても、情報の気密性は担保される。また、暗号化コンテンツと暗号キーとの通信経路を別にして、暗号キーを人体通信によって送信することで、コンテンツのデータの送信に要する時間を短縮させることができるとともに、情報処理装置１００から情報処理装置２００へ、コンテンツをセキュアに送信することができる。そして、無線通信と人体通信とは並行して行わせることができるので、人体通信によって通信が許可されて初めて無線通信を開始する場合に比べて、全ての通信が完了するまでの時間を短縮させることが出来る効果が期待できる。
【００７４】
上述した本開示の好適な実施形態で説明した技術は、ＰＣ、携帯電話、携帯ゲーム機、携帯情報端末、情報家電、カーナビゲーションシステム等、種々の情報処理装置に適用できる。
【００７５】
なお、本明細書において説明した情報処理装置による一連の処理は、ソフトウェア、ハードウエア、及びソフトウェアとハードウエアとの組合せのいずれを用いて実現されてもよい。ソフトウェアを構成するプログラムは、例えば、各装置の内部又は外部に設けられる記憶媒体に予め格納される。そして、各プログラムは、例えば、実行時にＲＡＭ（Ｒａｎｄｏｍ  Ａｃｃｅｓｓ  Ｍｅｍｏｒｙ）に読み込まれ、ＣＰＵなどのプロセッサにより実行される。
【００７６】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７７】
なお、本技術は以下のような構成も取ることができる。
（１）
接触又は近接された人体の一部を介して信号を送受信する第１通信部と、
前記人体を介さずに信号を送受信する第２通信部と、
を備え、
前記第２通信部は、暗号化された情報を送信し、前記第１通信部は、前記暗号化された情報を復号するための暗号鍵を送信する、通信装置。
（２）
情報を暗号化して前記第２通信部から送信させるとともに該暗号化に用いる暗号鍵を前記第１通信部から送信させる暗号化部をさらに備える、前記（１）に記載の通信装置。
（３）
前記第２通信部による通信は、前記第１通信部による通信よりも高速である、前記（１）または（２）に記載の通信装置。
（４）
前記第１通信部から送信した前記暗号鍵が正常に送信されたどうかについての情報を取得する制御部をさらに備える、前記（１）から（３）のいずれかに記載の通信装置。
（５）
前記制御部が取得する前記情報は、前記第１通信部が受信する、前記（４）に記載の通信装置。
（６）
前記制御部が取得する前記情報は、前記第２通信部が受信する、前記（４）に記載の通信装置。
（７）
前記第１通信部による前記暗号鍵の送信に先立って、前記第２通信部による前記暗号化された情報の送信を開始する、前記（１）から（７）のいずれかに記載の通信装置。
（８）
前記第１通信部は、所定の条件を満たした場合に限って該条件を満たす前記暗号鍵の送信を開始する、前記（７）に記載の通信装置。
（９）
タッチパネルをさらに備え、
前記所定の条件は、前記人体が前記タッチパネルの所定の領域に接触または近接したことである、前記（８）に記載の通信装置。
（１０）
前記第２通信部は、前記第１通信部によって送信されなかった前記暗号鍵によって暗号化された情報を削除するための情報を送信する、前記（７）から（９）のいずれかに記載の通信装置。
（１１）
接触又は近接された人体の一部を介して信号を送受信する第１通信ステップと、
前記人体を介さずに信号を送受信する第２通信ステップと、
を備え、
前記第２通信ステップは、暗号化された情報を送信し、前記第１通信ステップは、前記暗号化された情報を復号するための暗号鍵を送信する、通信方法。
（１２）
コンピュータに、
接触又は近接された人体の一部を介して信号を送受信する第１通信ステップと、
前記人体を介さずに信号を送受信する第２通信ステップと、
を実行させ、
前記第２通信ステップは、暗号化された情報を送信し、前記第１通信ステップは、前記暗号化された情報を復号するための暗号鍵を送信する、コンピュータプログラム。
【符号の説明】
【００７８】
１        ：通信システム
１０      ：人体
１１      ：容量
１２      ：容量
１３      ：容量
１４      ：大地
１５      ：近傍界
２１      ：無線信号
１００    ：情報処理装置
１０１    ：コンテンツ信号入力部
１０２    ：暗号化モジュール
１０３    ：無線モジュール
１０４    ：人体通信モジュール
１１１    ：暗号化コンテンツ
１１２    ：暗号キー
２００    ：情報処理装置
２０１    ：コンテンツ信号出力部
２０２    ：暗号復元モジュール
２０３    ：無線モジュール
２０４    ：人体通信モジュール
２１１    ：暗号化コンテンツ
２１２    ：暗号キー
【図１】
2013157788.tif 000003
【図２】
2013157788.tif 000004
【図３】
2013157788.tif 000005
【図４】
2013157788.tif 000006
【図５】
2013157788.tif 000007
【図６】
2013157788.tif 000008
【図７】
2013157788.tif 000009